(57)【要約】【課題】プラズマディスプレイの前面フィルター部分を安価に構成することを目的とする。【解決手段】パネルの前面側に配置されかつ前面側にシールド材を配設するとともにそのシールド材を覆うように反射防止フィルムを配設した前面フィルター２１と、この前面フィルター２１が取り付けられかつ表示領域に対応した窓を有する前面枠２２と、この前面枠２２の内側に取り付けられかつ前記前面フィルター２１の周辺部を押え付けることにより前面フィルター２１を前面枠２２に取り付けるための押え金具２５とを有し、前記前面枠２２の内側に前記前面フィルター２１のシールド材に電気的に接触する導電部材２４を配置し、かつ前記押え金具２５に前記前面枠２２に取り付けることにより前記導電部材２４に電気的に接触する突出部２５ｃを設けた。【選択図】図３
2005331556.tif 000002
【特許請求の範囲】
【請求項１】
パネルの前面側に配置されかつ前面側にシールド材を配設するとともにそのシールド材を覆うように反射防止フィルムを配設した前面フィルターと、この前面フィルターが取り付けられかつ表示領域に対応した窓を有する前面枠と、この前面枠の内側に取り付けられかつ前記前面フィルターの周辺部を押え付けることにより前面フィルターを前面枠に取り付けるための押え金具とを有し、前記前面枠の内側に前記前面フィルターのシールド材に電気的に接触する導電部材を配置し、かつ前記押え金具に前記前面枠に取り付けることにより前記導電部材に電気的に接触する突出部を設けたことを特徴とするプラズマディスプレイ。
【発明の詳細な説明】
【技術分野】
【０００１】
本発明は、大画面で、薄型、軽量のディスプレイ装置として知られているプラズマディスプレイに関するものである。
【背景技術】
【０００２】
近年、大型の平板型表示装置として普及しているプラズマディスプレイは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００３】
以下、プラズマディスプレイについて、図４、図５を用いて説明する。まず、プラズマディスプレイにおけるプラズマディスプレイパネルの構造について図４を用いて説明する。図４に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００４】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００５】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００６】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【０００７】
図５は上記で説明した構造のパネルを組み込んだプラズマディスプレイの全体構成の一例を示す分解斜視図である。図において、パネル１０は、アルミニウム等からなるシャーシ部材１１の前面に熱伝導シート１２を介して接着することにより保持され、そしてシャーシ部材１１の後面側には、パネル１０を表示駆動させるための複数の回路ブロック１３が取り付けられ、これにより表示ユニットが構成されている。前記熱伝導シート１２は、パネル１０で発生した熱をシャーシ部材１１に効率よく伝え、放熱を行うためのものである。また、回路ブロック１３はパネル１０の表示駆動とその制御を行うための電気回路を備えており、パネル１０の縁部に引き出された電極引出部に、シャーシ部材１１の四辺の縁部を越えて延びる複数のフレキシブル配線板（図示せず）によって電気的に接続されている。
【０００８】
前記表示ユニットを収容する筐体は、表示ユニットの回路ブロック１３が配置された背面側を覆うように配設したバックカバー１４と、前記表示ユニットのパネル１０の前面側に配置されかつ前記パネル１０の表示領域に対応した窓１５ａを有するとともに表示領域以外の周辺部を覆う前面枠１５とから構成され、前面枠１５の窓１５ａには光学フィルターおよびパネル１０の保護を兼ねた前面フィルター１６が配置されている。また、この前面フィルター１６には電磁波の不要輻射を抑制するために、銀蒸着や金属メッシュによるシールド材が配設されている。さらに、バックカバー１４には、パネル１０等で発生した熱を外部に放出するための複数の通気孔１４ａが設けられている。また、シャーシ部材１１の後面には、回路ブロック１３を取り付けたり、バックカバー１４を固定するためのボス部１１ａが設けられている。
【０００９】
なお、この出願の発明に関する先行技術文献情報としては、例えば特許文献１が知られている。
【特許文献１】特開２００４−７２１４９号公報
【発明の開示】
【発明が解決しようとする課題】
【００１０】
このプラズマディスプレイにおいては、構成部品の中で、前面フィルターの単価が高く、前面フィルターのコストダウンを実現することがプラズマディスプレイのコストダウンに効果的である。
【００１１】
一般的な前面フィルターは、ガラス板等の基板の裏面にシールド材を配設し、さらにその上からシールド材の面を保護する保護フィルムを配置し、また基板の表面には、反射防止、色調補正の機能を有する光学フィルムを貼り付けているが、この構成では、フィルムの枚数が多く、複雑になることから、高価なものとなってしまう。
【００１２】
そこで、基板の表面側にシールド材を配置し、その上から反射防止フィルムを貼り付けることにより、安価に前面フィルターを構成することが考えられているが、前面フィルターを前面枠に取り付ける場合、後ろから押え金具を用いて取り付けるため、前面フィルターの前面側のシールド材と導通をとるための導電テープを基板外周の表面および裏面に貼る必要が生じ、結局単価が高くなってしまうという課題があった。
【００１３】
本発明はこのような従来の課題を解決するもので、プラズマディスプレイの前面フィルター部分を安価に構成することを目的とするものである。
【課題を解決するための手段】
【００１４】
この課題を解決するために本発明は、パネルの前面側に配置されかつ前面側にシールド材を配設するとともにそのシールド材を覆うように反射防止フィルムを配設した前面フィルターと、この前面フィルターが取り付けられかつ表示領域に対応した窓を有する前面枠と、この前面枠の内側に取り付けられかつ前記前面フィルターの周辺部を押え付けることにより前面フィルターを前面枠に取り付けるための押え金具とを有し、前記前面枠の内側に前記前面フィルターのシールド材に電気的に接触する導電部材を配置し、かつ前記押え金具に前記前面枠に取り付けることにより前記導電部材に電気的に接触する突出部を設けたことを特徴とする。
【発明の効果】
【００１５】
本発明によれば、前面フィルターの外周部の表面および裏面に導電テープを貼り付けなくても、前面フィルターと押え金具との導通をとることができるとともに、前面フィルターの外周部の表面および裏面に導電テープを貼り付けるという煩わしい作業を行なう必要がないため、前面フィルター部分を安価に構成することができる。
【発明を実施するための最良の形態】
【００１６】
以下、本発明の一実施の形態によるプラズマディスプレイについて、図１〜図３の図面を用いて説明する。
【００１７】
図１に本発明の一実施の形態によるプラズマディスプレイの外観を示し、図２、図３に前面フィルターの取り付け構造を示している。図において、２１はパネルの前面側に配置される前面フィルターで、この前面フィルター２１は、ガラス板などの基板の前面側にシールド材（図示せず）を配設するとともに、そのシールド材を覆うように反射防止フィルム（図示せず）を配設したものであり、外周部分にはシールド材の一部が露出した導通部２１ａが設けられている。
【００１８】
２２はこの前面フィルター２１が取り付けられかつ表示領域に対応した窓２２ａを有する前面枠で、この前面枠２２は金属性のバックカバー２３とともに表示ユニットを収容するための筐体を構成している。この前面枠２２の内側には、前記前面フィルター２１の前面側のシールド材の導通部２１ａに電気的に接触する短冊形状でスポンジ状の導電部材２４が四辺に配置されている。
【００１９】
２５はこの前面枠２２の内側に前面フィルターを取り付けるためのアルミニウムなどの金属板を折り曲げ加工を施すことにより構成した押え金具で、この押え金具２５は、前記前面枠２２の内側に立設したボス部２２ｂに取り付けねじ２６により取り付ける取り付け部２５ａと、押え金具２５を前面枠２２に取り付けることにより、前記前面フィルター２１の導電部２１ａを導電部材２４に電気的に接触させた状態で前面枠２２の内側とで挾持する押え部２５ｂと、同じく押え金具２５を前面枠２２に取り付けることにより前記導電部材２４に電気的に接触する突出部２５ｃとを設けた構成である。
【００２０】
このような構成によれば、まず前面枠２２の内側に導電部材２４を貼り付けた後、前面フィルター２１を前面枠２２の内側に置き、その上から押え金具２５を置き、そして取り付けねじ２６を前面枠２２のボス部２２ｂに締め付けて押え金具２５を固定することにより、前面フィールター２１を前面枠２２に取り付けることができるとともに、前面フィルター２１のシールド材を押え金具２５に、導電部２１ａ、導電部材２４、突出部２５ｃを通して電気的に接続することができる。
【産業上の利用可能性】
【００２１】
以上のように本発明によれば、前面フィルター部分を簡単かつ安価に構成することができ、プラズマディスプレイのコストダウンを実現する上で有用な発明である。
【図面の簡単な説明】
【００２２】
【図１】本発明の一実施の形態によるプラズマディスプレイの外観図
【図２】同じく要部の構成を示す分解斜視図
【図３】同断面図
【図４】プラズマディスプレイのパネル構造を示す斜視図
【図５】プラズマディスプレイの全体構成を示す分解斜視図
【符号の説明】
【００２３】
２１  前面フィルター
２２  前面枠
２２ａ  窓
２４  導電部材
２５  押え金具
２５ｃ  突出部
【図１】
2005331556.tif 000003
【図２】
2005331556.tif 000004
【図３】
2005331556.tif 000005
【図４】
2005331556.tif 000006
【図５】
2005331556.tif 000007